(57)【要約】【課題】観光地等において複数箇所で利用者を自動撮影するフォトラリーを行い、ラリー終了後に撮影画像の販売を行う注文受付端末、及び撮影画像を提供する画像提供システムを提供する。【解決手段】本実施形態による注文受付端末は、利用者に提示されたコードから識別情報を読み取る読取部５３と、前記識別情報をサーバ１０へ送信し、前記識別情報に対応する画像データをサーバ１０から受信する通信処理部５６と、前記画像データ及び前記画像データのプリント物の購入注文を受け付ける制御部５４Ａと、前記購入注文に応じた課金処理を行う課金部５２と、プリント物の購入注文を受け付けた画像データを制御部５４Ａから受け取り、印画紙にプリントして出力するプリンタ５７と、を備える。通信処理部５６は、データの購入注文を受け付けた画像をサーバ１０に通知し、ダウンロード可能となるようにする。【選択図】図９
2018097835.tif 000002
【特許請求の範囲】
【請求項１】
利用者に提示されたコードから識別情報を読み取る読取部と、
前記識別情報をサーバへ送信し、前記識別情報に対応する画像データを前記サーバから受信する通信処理部と、
前記画像データ及び前記画像データのプリント物の購入注文を受け付ける制御部と、
前記購入注文に応じた課金処理を行う課金部と、
プリント物の購入注文を受け付けた画像データを前記制御部から受け取り、印画紙にプリントして出力するプリンタと、
を備え、
前記通信処理部は、データの購入注文を受け付けた画像を前記サーバに通知することを特徴とする注文受付端末。
【請求項２】
前記サーバから受信する前記画像データには、撮影場所を特定する撮影場所特定情報が紐付けられており、
前記制御部は、同じ撮影場所特定情報が紐付いている複数の画像データを一纏めにしてデータ購入注文を受け付けることを特徴とする請求項１に記載の注文受付端末。
【請求項３】
前記制御部は、１つの画像についてデータ購入注文を受け付けると、この画像と同じ撮影場所特定情報が紐付いている他の画像についてもデータ購入注文を受け付けたとして処理を行うことを特徴とする請求項２に記載の注文受付端末。
【請求項４】
請求項１乃至３のいずれかに記載された注文受付端末と、
複数の撮影システム及び前記注文受付端末と通信可能に接続されたサーバと、
を備え、
前記サーバは、
前記複数の撮影システムから、利用者を撮影した撮影画像データと、前記利用者を識別する識別情報とを受信して、前記撮影画像データに前記識別情報を紐付けて記憶部に格納し、
前記注文受付端末から受信した識別情報と同じ識別情報が紐付けられている画像データを前記注文受付端末へ送信し、
前記注文受付端末から、データの購入注文を受け付けた画像を通知されると、通知された画像の画像データをダウンロード可能データとして設定することを特徴とする画像提供システム。
【請求項５】
前記サーバは、ユーザ端末からアクセスされると、アクセスしてきた利用者の識別情報を取得し、この識別情報と同じ識別情報が紐付けられている画像データのうち、ダウンロード可能になっている画像データを前記ユーザ端末へ送信することを特徴とする請求項４に記載の画像提供システム。
【請求項６】
前記注文受付端末は、画像データダウンロード用のパスワードの入力を受け付け、入力された前記パスワードを前記サーバに通知し、
前記サーバは、前記ユーザ端末からアクセスされると、パスワードの入力を要求し、入力されたパスワードと、前記注文受付端末から通知されたパスワードとを照合することを特徴とする請求項５に記載の画像提供システム。
【請求項７】
利用者を撮影する撮影部、及び撮影画像データと利用者を識別する識別情報とを前記サーバへ送信する通信部をそれぞれ有する複数の撮影システムをさらに備えることを特徴とする請求項４乃至６のいずれかに記載の画像提供システム。
【発明の詳細な説明】
【技術分野】
【０００１】
本発明は、観光地やテーマパーク等において様々な場所に設置された複数台の撮影装置でユーザを撮影した画像のプリント物や撮影画像データの購入注文を受け付ける注文受付端末、及び撮影画像データやプリント物を提供する画像提供システムに関する。
【背景技術】
【０００２】
テーマパーク等では、スタッフが入園客を順に撮影し、プリントした写真をオリジナルの台紙に貼り付けて、入園客に販売するサービスが行われている。撮影自体は無料である場合、撮影を断ることは心理的に困難であり、望まずに撮影・プリントされた写真を提示され、購入を促されることがあった。
【０００３】
また、スタッフによる撮影は、面白味のないポーズや構図になりやすく、記念品になるような写真を作成することは困難であった。
【０００４】
特許文献１には、テーマパーク内に複数の自動撮影装置を設置し、顧客が自動撮影装置の設置場所毎に対価を支払い撮影を行うと、撮影画像データが画像出力センタ内のプリントシステムに送られて写真プリントが作製される画像撮影出力システムが開示されている。顧客は、画像出力センタの窓口で写真プリントを受け取ることができる。
【先行技術文献】
【特許文献】
【０００５】
【特許文献１】特許第３９１３４５３号公報
【特許文献２】特開２０１２−２５２４０９号公報
【発明の概要】
【発明が解決しようとする課題】
【０００６】
本発明は、観光地等において複数箇所で利用者を自動撮影するフォトラリーを行い、ラリー終了後に撮影画像の注文を利用者から受け付ける注文受付端末、及び撮影画像を利用者に提供する画像提供システムを提供することを課題とする。
【課題を解決するための手段】
【０００７】
本発明による注文受付端末は、利用者に提示されたコードから識別情報を読み取る読取部と、前記識別情報をサーバへ送信し、前記識別情報に対応する画像データを前記サーバから受信する通信処理部と、前記画像データ及び前記画像データのプリント物の購入注文を受け付ける制御部と、前記購入注文に応じた課金処理を行う課金部と、プリント物の購入注文を受け付けた画像データを前記制御部から受け取り、印画紙にプリントして出力するプリンタと、を備え、前記通信処理部は、データの購入注文を受け付けた画像を前記サーバに通知するものである。
【０００８】
本発明の一態様では、前記サーバから受信する前記画像データには、撮影場所を特定する撮影場所特定情報が紐付けられており、前記制御部は、同じ撮影場所特定情報が紐付いている複数の画像データを一纏めにしてデータ購入注文を受け付ける。
【０００９】
本発明の一態様では、前記制御部は、１つの画像についてデータ購入注文を受け付けると、この画像と同じ撮影場所特定情報が紐付いている他の画像についてもデータ購入注文を受け付けたとして処理を行う。
【００１０】
本発明による画像提供システムは、本発明の注文受付端末と、複数の撮影システム及び前記注文受付端末と通信可能に接続されたサーバと、を備え、前記サーバは、前記複数の撮影システムから、利用者を撮影した撮影画像データと、前記利用者を識別する識別情報とを受信して、前記撮影画像データに前記識別情報を紐付けて記憶部に格納し、前記注文受付端末から受信した識別情報と同じ識別情報が紐付けられている画像データを前記注文受付端末へ送信し、前記注文受付端末から、データの購入注文を受け付けた画像を通知されると、通知された画像の画像データをダウンロード可能データとして設定するものである。
【００１１】
本発明の一態様において、前記サーバは、ユーザ端末からアクセスされると、アクセスしてきた利用者の識別情報を取得し、この識別情報と同じ識別情報が紐付けられている画像データのうち、ダウンロード可能になっている画像データを前記ユーザ端末へ送信する。
【００１２】
本発明の一態様において、前記注文受付端末は、画像データダウンロード用のパスワードの入力を受け付け、入力された前記パスワードを前記サーバに通知し、前記サーバは、前記ユーザ端末からアクセスされると、パスワードの入力を要求し、入力されたパスワードと、前記注文受付端末から通知されたパスワードとを照合する。
【００１３】
本発明の一態様では、利用者を撮影する撮影部、及び撮影画像データと利用者を識別する識別情報とを前記サーバへ送信する通信部をそれぞれ有する複数の撮影システムをさらに備える。
【発明の効果】
【００１４】
本発明によれば、観光地等において複数箇所で利用者を自動撮影するフォトラリーを行い、ラリー終了後に撮影画像を提供する。スタッフ等の人手を介さずに撮影を行うため、利用者は恥ずかしがらずにポーズをとることができる。また、特別な角度から撮影を行うことができるため、記念品になる画像を作成することができる。また、利用者から画像データやプリント物の注文を受け付け、課金処理を行うことができる。
【図面の簡単な説明】
【００１５】
【図１】本発明の実施形態に係る画像提供システムの設置例を示す図である。
【図２】同実施形態に係る画像提供システムのブロック構成図である。
【図３】（ａ）（ｂ）は指示するポーズの例を示す図である。
【図４】同実施形態に係る撮影システムの概略外観図である。
【図５】同実施形態に係る撮影システムのブロック構成図である。
【図６】同実施形態に係る画像プリント方法を説明するフローチャートである。
【図７】別の実施形態に係る注文受付端末の斜視図である。
【図８】注文受付端末のブロック構成図である。
【図９】プリント物及びデータダウンロード権利の販売処理を説明するタイミングチャートである。
【図１０】注文画面の一例を示す図である。
【図１１】注文画面の一例を示す図である。
【発明を実施するための形態】
【００１６】
以下、本発明の実施の形態を図面に基づいて説明する。
【００１７】
本実施形態に係る画像提供システムは、観光地やテーマパーク等に設置されるものであり、撮影システムを様々な場所に設置し、利用者（観光客）は撮影システムの設置箇所を巡って写真撮影するフォトラリーを行う。フォトラリー終了後、撮影した画像データをプリント出力して、利用者に提供する。
【００１８】
図１は画像提供システムをテーマパークに設置した例を示し、図２は画像提供システムのブロック構成を示す。画像提供システムは、サーバ１０、参加受付部２０、プリンタ３０、及び複数の撮影システム４０を備える。参加受付部２０及びプリンタ３０は、テーマパークの入退場ゲートがある管理センタ１に設けられる。撮影システム４０は、テーマパーク内の様々な場所に設置される。
【００１９】
参加受付部２０は、利用者からフォトラリーの参加申請を受け付けると、利用者を一意に特定する識別情報を示す二次元コードがプリントされた参加証を発行する。利用者は、パーク内で撮影システム４０の読取機４４（図４、図５参照）に参加証をかざす。読取機４４が参加証の二次元コードを読み取ると、撮影システム４０は、クイズを出題したり、利用者の撮影を行ったりする。撮影システム４０は、クイズの正解数をサーバ１０に通知する。
【００２０】
撮影システム４０は、カメラ４１（図４、図５参照）で利用者を撮影し、撮影画像データをサーバ１０へ送信する。
【００２１】
撮影システム４０は、撮影に際し、利用者に立ち位置やポーズを指示する。例えば、撮影システム４０は、図３（ａ）に示すようなポーズを作るように指示したり、図３（ｂ）に示すようにジャンプをするタイミングを指示したりする。撮影システム４０による指示のため、利用者は人目を気にせず恥ずかしがらずに様々なポーズをとることができる。
【００２２】
サーバ１０は、パーク内の複数の撮影システム４０から送信された画像データやクイズ正解数情報を、利用者毎に保存する。
【００２３】
フォトラリー終了後、利用者はプリンタ３０に参加証をかざす。プリンタ３０に設けられたコード読取部が参加証の二次元コードを読み取り、識別情報をサーバ１０に通知する。サーバ１０は、複数の撮影システム４０で撮影された利用者の画像と、テンプレート画像とを合成し、プリント用画像を生成する。テンプレート画像は、クイズの正解数や、撮影を行った場所の数（ラリーポイント数）に応じて変わってもよい。プリンタ３０は、プリント用画像を印画紙やシール台紙、マグカップ、バッジ等にプリントして印画物を作製する。
【００２４】
撮影システム４０により撮影された画像は、ユニークなポーズをしているものや、立ち位置が指示されることで背景とのバランスの良いものとなっている。また、カメラ４１が高い建物の上部等に設置されている場合は、利用者が三脚等を持参していても撮ることのできない特別な撮影角度の画像となる。このような画像をプリントすることで、利用者にとって記念品になるプリント物を作成することができる。
【００２５】
次に、画像提供システムの各部の構成について説明する。図２に示すように、サーバ１０は、コード生成部１１、認証部１２、通信処理部１３、プリント画像生成部１４及び記憶部１５を有する。サーバ１０は、ＣＰＵ（Central  Processing  Unit）、ＲＡＭ（Random  Access  Memory）、通信モジュール、半導体メモリ等の補助記憶装置を備えるコンピュータで構成され、各機能はＣＰＵがプログラムを実行することで実現される。
【００２６】
コード生成部１１は、フォトラリーに参加する利用者を識別するための識別情報を生成し、識別情報を示す二次元コードを発行する。例えば、コード生成部１１は、乱数生成プログラムを用いて複数桁（例えば２０桁）の文字列からなる識別情報を生成する。生成された識別情報は、発行コードとして記憶部１５に格納される。
【００２７】
認証部１２は、撮影システム４０の読取機４４が二次元コードを読み取って取得した識別情報と、記憶部１５に保存されている発行コードとを比較し、正規の識別情報であるか判定する。
【００２８】
通信処理部１３は、参加受付部２０、プリンタ３０、各撮影システム４０との通信処理を行う。例えば、通信処理部１３は、参加受付部２０からフォトラリー参加申請を受け付けると、コード生成部１１により生成された二次元コードを参加受付部２０へ送信する。
【００２９】
通信処理部１３は、撮影システム４０が読み取った識別情報を受信すると、認証部１２による判定結果を撮影システム４０に送信する。また、通信処理部１３は、記憶部１５に保存されているクイズデータを撮影システム４０に送信する。通信処理部１３は、撮影システム４０から、クイズに答えたユーザの正解数情報を受信し、利用者の識別情報と紐付けて記憶部１５に格納する。
【００３０】
また、通信処理部１３は撮影システム４０から撮影画像データを受信すると、撮影された利用者の識別情報と紐付けて記憶部１５に格納する。
【００３１】
通信処理部１３は、プリンタ３０から識別情報を受信すると、プリント画像生成部１４が生成したプリント用画像データをプリンタ３０へ送信する。
【００３２】
プリント画像生成部１４は、通信処理部１３がプリンタ３０から受信した識別情報に対応する撮影画像データを記憶部１５から取り出し、テンプレート画像と合成してプリント用画像を生成する。記憶部１５には複数のテンプレート画像が格納されており、プリント画像生成部１４は、利用者のクイズ正解数やラリーポイント数に応じて、合成するテンプレート画像を選択してもよい。
【００３３】
図４は撮影システム４０の概略外観図であり、図５は撮影システム４０の構成を示すブロック図である。撮影システム４０は、カメラ（撮影部）４１、タッチパネル４２、スピーカ４３、読取機４４、及び制御装置４５を備える。制御装置４５は、画像処理部４６、入力処理部４７、出力処理部４８及び通信部４９を有する。制御装置４５は、ＣＰＵ、ＲＡＭ、通信モジュール、補助記憶装置等を有するコンピュータによって構成され、制御装置４５の各機能は、ＣＰＵがプログラムを実行することで実現される。
【００３４】
カメラ４１は、例えばデジタルカメラであり、利用者を撮影して撮影画像データを生成する。図４では、タッチパネル４２の上にカメラ４１を設置した例を示しているが、カメラ４１の設置場所はこれに限定されず、建物の上部に設置して、利用者を上方から撮影するようにしてもよい。
【００３５】
画像処理部４６は、カメラ４１から撮影画像データを受け取り、利用者の顔の位置を検出したり、人数を算出したり、利用者の動作（例えば手を掲げる等のジェスチャ）を検出したりする。
【００３６】
タッチパネル４２は、利用者が視認可能な情報を表示する。出力処理部４８は、タッチパネル４２における情報表示に必要なデータ処理を行う。また、タッチパネル４２は、利用者の操作を検出する。入力処理部４７は、ユーザ操作に応じたデータ処理を行う。タッチパネル４２の代わりに、情報を表示するディスプレイと、利用者の操作を受け付ける操作ボタン等を設けてもよい。
【００３７】
スピーカ４３は、音声案内等を出力する。出力処理部４８は、スピーカ４３が発する音声を生成するためのデータ処理を行う。
【００３８】
読取機４４は、利用者が所持する参加証に印字された二次元コードを読み取り、識別情報を取得する。
【００３９】
利用者に提示された参加証の二次元コードを読取機４４が読み取り、識別情報を取得すると、通信部４９は、サーバ１０へ識別情報を通知し、正規の識別情報であるか否か判定結果を受け取る。
【００４０】
正規の識別情報でない場合、撮影システム４０は「コードが違うようです」という音声を出力したり、タッチパネル４２に文字で表示したりする。正規の識別情報である場合、撮影システム４０はサーバ１０から受信したクイズデータを用いてクイズを出題し、利用者からの回答を受け付ける。クイズの問題は、音声と共にタッチパネル４２に表示される。また、タッチパネル４２を介して利用者から回答を受け付けることができる。撮影システム４０は、クイズの正解数を利用者の識別情報と共にサーバ１０へ送信する。
【００４１】
撮影システム４０は、「写真を撮ります」という音声を出力し、カメラ４１で利用者を撮影する。撮影システム４０は、撮影画像の解析を行い、利用者の位置を検出し、「もう少し後ろに立って下さい」などの音声を出力して、利用者の立ち位置を調整する。これにより、背景とのバランスのよい画像を撮影することができる。
【００４２】
撮影システム４０は、「合図にあわせてジャンプしてください」などの音声を出力し、ポーズの指示を行うと共に、ポーズの見本をタッチパネル４２に表示する。
【００４３】
カメラ４１が高所などの離れた位置に設置されている場合、撮影システム４０は、音声やタッチパネル４２の表示等によりカメラ４１の位置をユーザに教え、カメラ４１の方を向くように指示する。
【００４４】
撮影システム４０は、カメラ４１で撮影した画像をタッチパネル４２に表示して、撮り直しを行うか利用者に確認するようにしてもよい。撮影システム４０は、利用者の識別情報と共に撮影画像データをサーバ１０へ送信する。このように、利用者は、撮影システム４０の設置場所にて、クイズに答えたり、写真撮影を行ったりする。
【００４５】
次に、本実施形態による画像提供システムを用いた画像プリント方法を図６に示すフローチャートを用いて説明する。
【００４６】
利用者は、管理センタ１の参加受付部２０でフォトラリーの参加申請を行い、発行された参加証を受け取る（ステップＳ１）。参加証には、フォトラリーに参加する利用者を識別する識別情報を示す二次元コードが印刷されている。
【００４７】
利用者は、パーク内を散策し、撮影システム４０を見つけたら、参加証の二次元コードを読み取らせる（ステップＳ２）。撮影システム４０は、読取機４４を用いて二次元コードから識別情報を取得し、正規の識別情報であるか否かサーバ１０に問い合わせる。
【００４８】
撮影システム４０は、利用者に対しクイズを出題したり、カメラ４１を用いて利用者を撮影したりする（ステップＳ３）。撮影システム４０は、撮影にあたり、利用者に立ち位置やポーズを指導する。撮影システム４０は識別情報と共にクイズの正解数情報や撮影画像データをサーバ１０へ送信する（ステップＳ４）。正解数情報や撮影画像データは、識別情報と対応付けてサーバ１０に保存される。
【００４９】
利用者はパーク内を巡り、撮影システム４０が設置された複数箇所で、クイズに回答したり、写真撮影を行ったりする（ステップＳ２〜Ｓ５）。利用者は、フォトラリーを終了すると（ステップＳ５＿Ｙｅｓ）、管理センタ１に戻り、プリンタ３０に備え付けられたコード読取機（図示略）に参加証をかざし、二次元コードを読み取らせる（ステップＳ６）。なお、コード読取機はプリンタ３０に備え付けである必要はなく、フォトラリーの終了地点に設けられていればよい。
【００５０】
プリンタ３０は、読み取った識別情報をサーバ１０に送信する。サーバ１０は、プリンタ３０から識別情報を受信すると、利用者がフォトラリーを終了したと判断し、識別情報に対応する複数の撮影画像データを記憶部１５から取り出し、テンプレート画像と合成してプリント用画像を生成する（ステップＳ７）。サーバ１０は、プリント用画像データをプリンタ３０へ送信する。
【００５１】
プリンタ３０は、サーバ１０から受信したプリント用画像データを印画紙にプリントして出力する（ステップＳ８）。
【００５２】
このように、本実施形態によれば、利用者は、クイズ等を楽しみながら、様々な場所を巡って写真撮影するフォトラリーを行い、ラリー終了後に、撮影画像がプリントされたプリント物を取得することができる。撮影システム４０によりポーズや立ち位置が指示されるため、構図の良い写真となる。また、スタッフ等の人間により撮影が行われる場合、人目を気にして無難なポーズになりがちであるが、本実施形態では撮影システム４０がポーズ指導や撮影等を行うため、利用者は恥ずかしがらずにユニークなポーズをとることができる。また、カメラ４１により特別な角度から撮影を行うことができる。このような画像がプリントされたプリント物は、利用者にとって記念品になる。
【００５３】
フォトラリー終了後にプリント出力する撮影画像を利用者が選択できるようにしてもよい。フォトラリー終了後、利用者はコード読取機に参加証をかざし、二次元コードを読み取らせる。サーバ１０がこの利用者の撮影画像データを記憶部１５から取り出し、コード読取機の近傍に設置されたディスプレイに撮影画像データを選択可能に表示する。利用者がディスプレイに表示された撮影画像データを選択すると、サーバ１０は、選択された画像と、テンプレート画像とを合成してプリント用画像を生成する。
【００５４】
撮影画像だけでなくテンプレート画像も選択できるようにしてもよい。フォトラリー中に行ったクイズの正解数やラリーポイント数（撮影画像データを送ってきた撮影システム４０の数）に応じて、選択できるテンプレート画像の種類を変更してもよい。
【００５５】
フォトラリー参加申請時に、参加する利用者の関係性を登録するようにしてもよい。利用者の関係性とは、例えば、ファミリー、友達、カップル等である。撮影システム４０が、利用者から提示された参加証の二次元コードを読み取り、識別情報をサーバ１０に問い合わせると、サーバ１０が認証結果と共に登録された利用者の関係性を撮影システム４０に通知する。撮影システム４０は、写真撮影時に指示する複数種のポーズのデータを記憶部に格納しており、利用者の関係性に応じて好適なポーズを選択して指示する。
【００５６】
上記実施形態では、撮影システム４０の読取機４４で参加証の二次元コードを読み取り、識別情報を取得することで利用者を特定していたが、カメラ４１が二次元コードの読み取りを行ってもよい。また、参加申請時に利用者の顔画像を撮影してサーバ１０に顔画像を保存し、撮影システム４０がカメラ４１で撮影した顔画像を用いて顔認証を行い、利用者を特定してもよい。また、識別情報を格納したＲＦタグを利用者に配布し、読取機４４がＲＦタグから識別情報を読み取るようにしてもよい。
【００５７】
上記実施形態では、管理センタ１でフォトラリーの参加申請を行う例について説明したが、パーク内を周っている時にフォトラリーに参加できるようにしてもよい。例えば、参加証を封入したカプセルを販売するカプセル販売機をパーク内に設置する。カプセル内の参加証に印字された二次元コードが示す識別情報は、発行コードとしてサーバ１０の記憶部１５に格納されている。
【００５８】
利用者は、カプセル販売機でカプセルを購入し、カプセルから参加証を取り出すと、近くの撮影システム４０の読取機４４にかざす。撮影システム４０は、参加証の二次元コードを読み取り、識別情報をサーバ１０に通知する。サーバ１０は、通知された識別情報と記憶部１５内の発行コードとを照合し、フォトラリーの参加（途中参加）を受け付ける。これにより、テーマパーク入場後、フォトラリーの様子を見て興味を持った利用者が、フォトラリーに簡単に参加することができる。
【００５９】
フォトラリー終了後、プリント物を出力する代わりに、又はプリント物の出力と共に、撮影画像データを利用者に提供できるようにしてもよい。例えば、サーバ１０が、画像データダウンロードサイトのＵＲＬを示す二次元コードを生成し、プリンタ３０が、この二次元コードをプリント出力する。また、この二次元コードをディスプレイに表示し、利用者が携帯端末で読み取り、画像データをダウンロードするものでもよい。撮影システム４０のカメラ４１で動画を撮影し、動画データをダウンロードできるようにしてもよい。
【００６０】
フォトラリーの参加証には有効期限が設定されていてもよい。例えば、参加申請を行った当日のみフォトラリーを行うことができるようにする。参加申請を受け付けると、サーバ１０は、発行コード内の識別情報に、参加日情報を紐付けて登録する。サーバ１０は、撮影システム４０から通知された識別情報を用いて記憶部１５を検索し、この識別情報に紐付けられた参加日情報が当日を示すものであるか否か判定する。参加日情報が過去の日であった場合、サーバ１０は、エラーであることを撮影システム４０に通知する。これにより、過去に使用した参加証が再利用されることを防止できる。
【００６１】
上記実施形態では、利用者を識別する識別情報を示す二次元コードが参加証にプリントされる例について説明したが、二次元コードでなくバーコードであってもよい。
【００６２】
各撮影システム４０では、参加証を提示する度に撮影を行うことができる。従って、利用者は、１個（１ヶ所）の撮影システム４０で、複数回の撮影を行うことができる。サーバ１０は、撮影システム４０から受信した画像データを、利用者の識別情報と共に、撮影システム４０（撮影場所）を特定する情報と紐付けて、記憶部１５に格納する。
【００６３】
フォトラリーの参加を無料とし、フォトラリー終了後、プリント物や撮影画像データのダウンロード権利を販売するようにしてもよい。例えば、管理センタ１に図７に示すような注文受付端末５を設置し、プリント物や画像データの販売、及びプリント物の出力を行う。図８は注文受付端末５のブロック構成図である。
【００６４】
注文受付端末５は、第１タッチパネル５１Ａ、第２タッチパネル５１Ｂ、課金部５２、読取部５３、ＣＰＵ（中央処理部）５４、記憶部５５、通信処理部５６、及びプリンタ５７を有する。
【００６５】
第１タッチパネル５１Ａは筐体５０の天板５０Ａ部分に設けられ、第２タッチパネル５１Ｂは筐体５０の上部に設けられている。第１タッチパネル５１Ａへの入力操作を行い易いように、天板５０Ａ及び第１タッチパネル５１Ａの画面は、手前側が低く奥側が高くなるようにやや傾斜している。第２タッチパネル５１Ｂのディスプレイ画面は、略垂直に立った状態となっている。第１タッチパネル５１Ａと第２タッチパネル５１Ｂのディスプレイ画面は同程度の大きさとなっている。
【００６６】
第１タッチパネル５１Ａ及び第２タッチパネル５１Ｂは、画像を含む情報を表示したり、利用者から各種指示の入力を受け付けたりする。例えば、第１タッチパネル５１Ａ又は第２タッチパネル５１Ｂは、プリント出力する画像や、データをダウンロードする画像の選択を受け付ける注文画面（図１０、図１１参照）を表示する。
【００６７】
課金部５２は、筐体５０の前面側に設けられた硬貨投入口５２Ａ、紙幣投入口５２Ｂ、釣銭返却口５２Ｃを有し、硬貨投入口５２Ａ及び紙幣投入口５２Ｂから投入された貨幣を識別計数し、釣銭を釣銭返却口５２Ｃから放出する。また、課金部５２は、電子マネーによる決済機能を有していてもよい。また、課金部５２は、注文内容、請求金額、投入金額、釣銭額等をレシートに印字して出力するレシートプリンタを有していてもよい。
【００６８】
読取部５３は、フォトラリーの参加証にプリントされたバーコード又は二次元コードから、識別情報を読み取る。
【００６９】
通信処理部５６は、サーバ１０と通信を行い、読取部５３が読み取った識別情報をサーバ１０に送信し、この識別情報に対応する画像データを受信する。また、通信処理部５６は、利用者が画像データのダウンロード権利を購入した画像を、サーバ１０に通知する。
【００７０】
プリンタ５７は、昇華型又はインクジェット型などの高解像度カラープリンタであり、注文内容に基づいて、画像データを印画紙にプリントして出力する。プリンタ５７は筐体５０内に収容されている。プリンタ５７は複数台設置されていてもよい。図７に示すように、筐体５０の前面側には、透明な開閉扉５０Ｂが開閉自在に設けられている。開閉扉５０Ｂの裏面側には、プリンタ５７がプリント出力したプリント物が集積される集積部（図示せず）が設けられており、開閉扉５０Ｂを開けると集積部に集積されたプリント物を取り出せるようになっている。
【００７１】
記憶部５５は、メインメモリや、制御プログラム及び注文処理プログラムを格納するハードディスクドライブを含む。ＣＰＵ５４は、制御プログラムを実行することで、注文受付端末５の各部の動作を制御する制御部５４Ａとして機能する。また、ＣＰＵ５４が注文処理プログラムを実行することで、制御部５４Ａが注文画面を作成して第１タッチパネル５１Ａ等に表示し、プリント物や画像データの注文受付処理及び課金処理が行えるようになる。
【００７２】
注文受付端末５を用いたプリント物及びデータダウンロード権利の販売処理について、図９に示すタイミングチャートを用いて説明する。
【００７３】
フォトラリーを終了した利用者は、注文受付端末５の読取部５３に参加証をかざす。読取部５３は、参加証にプリントされたバーコード又は二次元コードから識別情報を読み取る（ステップＳ１０１）。
【００７４】
通信処理部５６が、ステップＳ１０１で読み取られた識別情報をサーバ１０に通知する（ステップＳ１０２）。
【００７５】
サーバ１０は、注文受付端末５から識別情報を受信すると、記憶部１５を検索して、識別情報に対応する複数の撮影画像データを取り出し、注文受付端末５へ送信する（ステップＳ１０３、Ｓ１０４）。
【００７６】
注文受付端末５は、サーバ１０から画像データを受信すると、図１０に示すような注文画面を作成し、画像データを縮小したサムネイル画像６０を第１タッチパネル５１Ａ（又は第２タッチパネル５１Ｂ）に表示して、プリント注文やデータ購入注文を受け付ける（ステップＳ１０５、Ｓ１０６）。
【００７７】
画像データの数が多く、１画面で表示しきれない場合は、ページ切替ボタン６１を押下（接触）してページを切り替える、またはスクロールバー６２を操作する、または第１タッチパネル１０Ａの画面上でフリック操作を行うことにより、全ての画像データについてのサムネイル画像６０を確認することができる。
【００７８】
サムネイル画像６０の側部には拡大ボタン６３が設けられ、下部には、その画像のプリント枚数を指定するプリント枚数増減ボタン６４が設けられ、上部には、その画像の画像データ購入（ダウンロード）有無を選択するデータ購入ボタン６５が設けられている。
【００７９】
拡大ボタン３２を押下すると、このサムネイル画像を拡大表示することができる。プリント枚数増減ボタン３４を押下すると、各画像のプリント枚数を指定し、プリント注文を入力することができる。
【００８０】
データ購入ボタン６５を押下すると、この画像のデータ購入注文を入力することができる。画像データの購入は、画像単位でもよいし、撮影場所単位でもよい。撮影場所単位の場合、１つの画像のデータ購入ボタン６５が押下されると、撮影場所特定情報に基づいて、撮影場所が同じ全ての画像について、データ購入が選択される。例えば、撮影場所が同じ全ての画像のデータ購入ボタン６５が「購入済み」という表示に切り替わる。
【００８１】
図１１に示すように、撮影場所毎にグループ化してサムネイル画像６０を表示してもよい。このような注文画面にすることで、撮影場所単位で画像データを購入することが、より分かりやすくなる。同じ撮影場所特定情報が紐付いている複数の画像データを一纏めにしてデータ購入注文を受け付けることができる。
【００８２】
利用者は注文を完了すると、注文内容確認ボタン６６を押下する。利用者が注文内容を確認して貨幣を投入すると、課金部５２が課金処理を行い、投入貨幣の計数、釣銭の出金、レシートの印字等を行う（ステップＳ１０７）。
【００８３】
制御部５４Ａが、プリンタ５７へ画像データを転送し、注文内容に基づく画像データのプリントを実行させる（ステップＳ１０８）。利用者は、出力されたプリント物を受け取る。
【００８４】
通信処理部５５が、データ購入された画像をサーバ１０に通知する（ステップＳ１０９）。サーバ１０は、通知された画像について、記憶部１５内の画像データにフラグを立て、ダウンロード可能データとして設定する。
【００８５】
利用者が、スマートフォンやＰＣ等のユーザ端末を用いてサーバ１０にアクセスし、画像データを要求する（ステップＳ１１０）。例えば、フォトラリーの参加証に画像データダウンロードサイトのＵＲＬ（及びＵＲＬを示す二次元コード）が記載されており、利用者はこのＵＲＬからサーバ１０にアクセスする。このＵＲＬには、利用者を識別する識別情報が含まれており、サーバ１０は、アクセスしてきた利用者の識別情報を取得することができる。
【００８６】
画像データの購入が行われると、注文受付端末５が、ＵＲＬを記載したプリント物を出力してもよい。注文受付端末５は、プリントしたＵＲＬをサーバ１０に通知してもよい。
【００８７】
サーバ１０は、記憶部１５を検索し、アクセスしてきた利用者の画像データのうち、ダウンロード可能になっている画像データを抽出する（ステップＳ１１１）。
【００８８】
サーバ１０は、画像データダウンロード画面を作成する。利用者が、ダウンロード画面からダウンロードを指示すると、サーバ１０は、画像データをユーザ端末へ転送する（ステップＳ１１２）。
【００８９】
このように、注文受付端末５により、フォトラリーで撮影した画像のプリント物の購入と画像データの購入とを行うことができる。
【００９０】
画像データの購入時、ダウンロード用のパスワードを設定できるようにしてもよい。注文受付端末５は、利用者から入力されたパスワードをサーバ１０に通知する。サーバ１０は、ユーザ端末からアクセスされると、パスワードの入力を要求し、入力されたパスワードと、利用者がデータ購入時に設定したパスワードとを照合する。
【００９１】
また、画像データの購入時、画像データのダウンロード可能な回数や、地域、日付（時間帯等）を設定できるようにしてもよい。注文受付端末５は、設定内容をサーバ１０に通知する。サーバ１０は、ユーザ端末からアクセスされた日時や、アクセス解析のアクセス元判定から取得した位置情報と、利用者がデータ購入時に設定した内容とを比較し、画像データのダウンロードの可否を判定する。
【００９２】
図１０、図１１に示す注文画面では、プリントする画像、ダウンロードする画像（画像群）をそれぞれ選択していたが、プリント物と画像データとをセット販売とし、画像を選択することで、プリント物と画像データの両方の購入指示を行えるようにしてもよい。
【００９３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９４】
１  管理センタ
５  注文受付端末
１０  サーバ
１１  コード生成部
１２  認証部
１３  通信処理部
１４  プリント画像生成部
１５  記憶部
２０  参加受付部
３０  プリンタ
４０  撮影システム
４１  カメラ
４２  タッチパネル
４３  スピーカ
４４  読取機
４５  制御装置
４６  画像処理部
４７  入力処理部
４８  出力処理部
５３  読取部
５６  通信処理部
５７  プリンタ
【図１】
2018097835.tif 000003
【図２】
2018097835.tif 000004
【図３】
2018097835.tif 000005
【図４】
2018097835.tif 000006
【図５】
2018097835.tif 000007
【図６】
2018097835.tif 000008
【図７】
2018097835.tif 000009
【図８】
2018097835.tif 000010
【図９】
2018097835.tif 000011
【図１０】
2018097835.tif 000012
【図１１】
2018097835.tif 000013